(57)【要約】【課題】下板部材を外ケースの下端近傍に固定する際、圧入による嵌合状態とする必要がなく、特別な圧入治具が不要で、手などで簡単に固定することができ、組み付け作業が簡単で、コストを低減でき、しかも、下板部材が外ケースから脱落することがない電磁弁を提供する。【解決手段】プランジャーの上下動により、弁座に対して弁体を離接させるように構成した弁本体と、弁本体の上部に連結され、プランジャーを上下に駆動する電磁コイルを収容した外ケースとを備えた電磁弁であって、外ケースには、外ケースの下端側に開口端を有するスリットが形成されるとともに、外ケースの下端には、外ケースの下端近傍に装着される下板部材を係止する係止部が形成されている。【選択図】図２
2008151218.tif 000002
【特許請求の範囲】
【請求項１】
プランジャーの上下動により、弁座に対して弁体を離接させるように構成した弁本体と、
前記弁本体の上部に連結され、プランジャーを上下に駆動する電磁コイルを収容した外ケースとを備えた電磁弁であって、
前記外ケースには、外ケースの下端側に開口端を有するスリットが形成されるとともに、
前記外ケースの下端には、外ケースの下端近傍に装着される下板部材を係止する係止部が形成されていることを特徴とする電磁弁。
【請求項２】
前記係止部が、外ケースのスリットの下端隅角部にスリット側に突設するように形成した爪部と、前記スリットと対峙するように外ケースの下端に外ケースの内側に突設するように形成した突設部とから構成されていることを特徴とする請求項１に記載の電磁弁。
【請求項３】
前記下板部材には、スリットが形成され、バネ座金形状に成形されていることを特徴とする請求項１から２のいずれかに記載の電磁弁。
【請求項４】
前記下板部材には、外ケースのスリットから外側に突出する突出部が形成されていることを特徴とする請求項１から３のいずれかに記載の電磁弁。
【発明の詳細な説明】
【技術分野】
【０００１】
本発明は、例えば、エアコンなどの空気調和機の冷媒循環回路などに用いられる電磁弁に関する。
【背景技術】
【０００２】
従来、この種の電磁弁としては、特許文献１（特開２００３−３０１９６２号公報）に開示されるように、プランジャーの上下動により、弁座に対して弁体を離接させるように構成した弁本体と、弁本体の上部に連結され、プランジャーを上下に駆動する電磁コイルを収容した外ケースとを備えた電磁弁がであって、外ケースの下端近傍には、外ケースの下端近傍に装着される下板部材を備えたものがある。
【０００３】
しかしながら、この場合、金属製の弁本体と、外ケースに装着した金属製の下板部材に隙間があり、弁本体の作動による振動によって、外ケースと下板部材の嵌合が緩み、下板部材が脱落し、振動により騒音が発生し、さらには、電磁コイルが振動するため、電磁コイル自身の機能にも支障が生じるおそれがあった。
【０００４】
このため、特許文献２（実開平２−１４５３６９号公報）には、振動を防止するために、ウェーブワッシャを電磁コイルの下端と弁本体との間に介装することも行われている。
一方、従来より、図１０、図１１に示したように、弁本体の作動による振動の影響を効果的に防止するために、外ケースの下端近傍に装着される下板部材と弁本体との間に、ゴムパッキンを介装した電磁弁が用いられている。
【０００５】
すなわち、図１０、図１１に示したように、従来の電磁弁１は、高圧側（一次側）に接続される第１の流路２と、低圧側（二次側）に接続される第２の流路４が形成された弁本体６を備えている。この弁本体の第１の流路２と第２の流路４との間には、弁座８が形成され、この弁座８に対して、着座するように弁体１０が備えられている。
【０００６】
弁体１０は、弁座８に着座する主弁１２と、この主弁１２の上部に装着され、その外周部が弁本体６のシリンダ部６ａの内壁に上下方向に摺動するように、ピストンリング１４を備えたピストン１６を備えている。また、これらの主弁１２とピストン１６とを貫通するように装着された主弁押さえ１８を備えており、この主弁押さえ１８の上部のネジ部に、主弁締付ナット２０を螺着することによって、これらの主弁１２とピストン１６と主弁押さえ１８とが一体的に締結され、弁体１０を構成するようになっている。
【０００７】
そして、この弁体１０を収容した弁本体６の上部のシリンダ部６ａに、予めプランジャーチューブ２２を立設するように、ロウ付け部２４によって固着した上蓋２６が装着されている。なお、上蓋２６と弁本体６の上部のシリンダ部６ａとの間には、パッキン３が介装されている。
【０００８】
また、このプランジャーチューブ２２の内部には、第１のプランジャー２８と、第１のプランジャー２８と弁体１０との間に、第２のプランジャー３０が、プランジャーチューブ２２内を上下に摺動可能なように装着されている。
【０００９】
さらに、第１のプランジャー２８の上部には、吸引子３２が、溶接部３５によってプランジャーチューブ２２の上端に固着されている。この吸引子３２と第１のプランジャー２８との間には、プランジャーバネ部材３４が、圧縮状態で介装されており、第１のプランジャー２８を下方に付勢するように構成されている。
【００１０】
弁本体６の上方には、電磁コイル３６を収容した有底筒状の外ケース３８が連結されており、プランジャーチューブ２２の外周に位置するように、電磁コイル３６が配置されるようになっている。また、電磁コイル３６の下端に当接するように、外ケース３８の下端近傍には、下板部材４０が装着されている。この下板部材４０と、上蓋２６との間には、弁本体６の作動による振動によって、外ケース３８と下板部材４０の嵌合が緩み、下板部材４０が脱落して、振動による騒音が発生し、さらには、電磁コイル３６が振動することによって、電磁コイル３６自身の機能に支障が生じるのを防止するためのゴムパッキン５が介装されている。
【００１１】
また、外ケース３８の上端と電磁コイル３６の上端との間には、コイル座金４２が介装されている。そして、外ケース３８の上端中央部に形成した外ケース締め付け孔４４を介して、締め付けボルト４６を、吸引子の上部に形成した締め付けネジ孔４８に締め付けることによって、弁本体６の上方には、電磁コイル３６を収容した外ケース３８が連結されるように構成されている。
【００１２】
さらに、外ケース３８の側部に形成した開口部５０を介して、リード線７を取り付けるためのリード線取り付け部５２が装着されている。なお、図１０中、符号５４が、モールド樹脂を示している。
【００１３】
このような構成の電磁弁１を組み付けるには、先ず、弁本体６の弁座８に主弁１２が着座するように、弁本体６内に弁体１０を収容する。そして、予め上蓋２６に、プランジャーチューブ２２を立設するように、ロウ付け部２４によって固着し、さらに、吸引子３２を、溶接部３５によって、プランジャーチューブ２２の上端に固着した後、プランジャーチューブ２２の内部に、プランジャーバネ部材３４、第１のプランジャー２８、第２のプランジャー３０を装着し、プランジャーバネ部材３４を圧縮状態で介装するように、弁本体６の上部のシリンダ部６ａに装着する。
【００１４】
そして、上蓋２６の上部に、ゴムパッキン５を装着する。
一方、外ケース３８の上端に、コイル座金４２を配置した後、電磁コイル３６を収容し、下方より、電磁コイル３６の下端に当接するように、外ケース３８の下端近傍に、下板部材４０を圧入して固定する。そして、外ケース３８の側部に形成した開口部５０を介して、リード線取り付け部５２を装着する。
【００１５】
このように、電磁コイル３６を収容し、電磁コイル３６の下端に当接するように、外ケース３８の下端近傍に、下板部材４０を固定した状態で、上方より外ケース３８を弁本体６に装着して、プランジャーチューブ２２の外周に電磁コイル３６が位置するように、弁本体６の上方に位置させる。
【００１６】
この状態で、外ケース３８の上端中央部に形成した外ケース締め付け孔４４を介して、締め付けボルト４６を、吸引子の上部に形成した締め付けネジ孔４８に締め付けることによって、弁本体６の上方には、電磁コイル３６を収容した外ケース３８を連結することによって、電磁弁１を組み付けるようになっている。
【特許文献１】特開２００３−３０１９６２号公報
【特許文献２】実開平２−１４５３６９号公報
【発明の開示】
【発明が解決しようとする課題】
【００１７】
しかしながら、図１０、図１１に示した従来の電磁弁１では、外ケース３８内に電磁コイル３６を収容した後、電磁コイル３６の下端に当接するように、外ケース３８の下端近
傍に、下板部材４０を装着して、下板部材４０が脱落しないように固定するには、外ケース３８が有底筒状であるので、下板部材４０を外ケース３８の下端近傍に圧入により嵌合状態にする必要があった。
【００１８】
このため、手などで下板部材４０を外ケース３８の下端近傍に圧入することは不可能であり、特別な圧入治具が必要で、組み付け作業が煩雑で、コストが高くつくことになっている。
【００１９】
また、従来の電磁弁１では、下板部材４０と、上蓋２６との間には、弁本体６の作動による振動によって、外ケース３８と下板部材４０の嵌合が緩み、下板部材４０が脱落して、振動による騒音が発生し、さらには、電磁コイル３６が振動することによって、電磁コイル３６自身の機能に支障が生じるのを防止するためのゴムパッキン５を介装する必要があるので、部品点数も多くなるとともに、組み付け作業も工程数が増えることになり、組み付け作業が煩雑で、コストが高くつくことになっている。さらに、ゴムパッキン５の場合には、長い間使用している間に、ゴムパッキン５が劣化することがあり、ゴムパッキン５を交換しなければならず、メンテナンスに分解、組み立て作業などの工程が必要で、コストもかかることになる。
【００２０】
本発明は、このような現状に鑑み、従来の電磁弁のように、下板部材を外ケースの下端近傍に固定する際に圧入による嵌合状態とする必要がなく、特別な圧入治具が不要で、手などで簡単に固定することができ、組み付け作業が簡単で、コストを低減でき、しかも、下板部材が外ケースから脱落することがない電磁弁を提供することを目的とする。
【００２１】
また、本発明は、従来の電磁弁のように、下板部材と上蓋との間に、ゴムパッキンを介装する必要がなく、部品点数も少なくなるとともに、部品交換も不要でメンテナンス性が良好で、組み付け作業も簡単で工程数も減少して、コストを低減でき、しかも、下板部材が振動することがなく、弁本体の作動による振動によって、外ケースと下板部材の嵌合が緩み、下板部材が脱落して、振動による騒音が発生し、さらには、電磁コイルが振動することによって、電磁コイル自身の機能に支障が生じるのを防止することができる電磁弁を提供することを目的とする。
【課題を解決するための手段】
【００２２】
本発明は、前述したような従来技術における課題及び目的を達成するために発明されたものであって、本発明の電磁弁は、
プランジャーの上下動により、弁座に対して弁体を離接させるように構成した弁本体と、
前記弁本体の上部に連結され、プランジャーを上下に駆動する電磁コイルを収容した外ケースとを備えた電磁弁であって、
前記外ケースには、外ケースの下端側に開口端を有するスリットが形成されるとともに、
前記外ケースの下端には、外ケースの下端近傍に装着される下板部材を係止する係止部が形成されていることを特徴とする。
【００２３】
このように構成することによって、下板部材を外ケースの下端近傍に装着する際に、外ケースの下端側に開口端を有するスリットが形成されているので、外ケースの下端側が拡径することによって、従来の電磁弁のように、特別な圧入治具が不要で、手などで簡単に下板部材を外ケースの下端に固定することができ、組み付け作業が簡単で、コストを低減することができる。
【００２４】
しかも、外ケースの下端には、外ケースの下端近傍に装着される下板部材を係止する係
止部が形成されているので、ケースの下端に係止部によって下板部材を係止して固定することができるので、外ケース内に電磁コイルを収容した後、電磁コイルの下端に当接するように、外ケースの下端近傍に、下板部材を装着する際に、下板部材が外ケースから脱落することがない。
【００２５】
また、本発明の電磁弁は、前記係止部が、外ケースのスリットの下端隅角部にスリット側に突設するように形成した爪部と、前記スリットと対峙するように外ケースの下端に外ケースの内側に突設するように形成した突設部とから構成されていることを特徴とする。
【００２６】
このように構成することによって、下板部材を外ケースの下端近傍に装着する際に、下板部材の一端を、外ケースの下端に外ケースの内側に突設するように形成した突設部に係止させることができる。
【００２７】
そして、この状態で、下板部材の他端を、外ケース側に押圧するだけで、外ケースの下端側に開口端を有するスリットが形成されているので、外ケースのスリットの下端隅角部にスリット側に突設するように形成した爪部が、下板部材の他端側に案内されて、外ケースの下端側が拡径する。これにより、下板部材の他端が、爪部の上方に位置した後、外ケースの下端側が縮径して、この爪部によって、下板部材の他端が係止されることになる。
【００２８】
従って、下板部材の一端が、外ケースの内側に突設するように形成した突設部に係止されるとともに、下板部材の他端が、外ケースのスリットの下端隅角部の爪部に係止されるので、下板部材を外ケースの下端近傍に確実に固定することができ、下板部材が外ケースから脱落することがなく、従来の電磁弁のように、特別な圧入治具が不要で、手などで簡単に下板部材を外ケースの下端に固定することができ、組み付け作業が簡単で、コストを低減することができる。
【００２９】
また、本発明の電磁弁は、前記下板部材には、スリットが形成され、バネ座金形状に成形されていることを特徴とする。
このように構成することによって、下板部材自体がバネ性を有するので、従来の電磁弁のように、下板部材と上蓋との間に、別途ゴムパッキンを介装する必要がなく、部品点数も少なくなるとともに、部品交換も不要でメンテナンス性が良好で、組み付け作業も簡単で工程数も減少して、コストを低減できる。
【００３０】
しかも、下板部材自体がバネ性を有するので、下板部材が振動することがなく、弁本体の作動による振動によって、外ケースと下板部材の嵌合が緩み、下板部材が脱落して、振動による騒音が発生し、さらには、電磁コイルが振動することによって、電磁コイル自身の機能に支障が生じるのを防止することができる。
【００３１】
また、本発明の電磁弁は、前記下板部材には、外ケースのスリットから外側に突出する突出部が形成されていることを特徴とする。
このように、下板部材に、外ケースのスリットから外側に突出する突出部が形成されているので、下板部材を外ケースの下端近傍に装着する際に、この突出部と、外ケースのスリットの下端隅角部に形成した爪部とが係止されるので、下板部材を外ケースの下端近傍に確実に固定することができる。
【発明の効果】
【００３２】
本発明によれば、下板部材を外ケースの下端近傍に装着する際に、外ケースの下端側に開口端を有するスリットが形成されているので、外ケースの下端側が拡径することによって、従来の電磁弁のように、特別な圧入治具が不要で、手などで簡単に下板部材を外ケースの下端に固定することができ、組み付け作業が簡単で、コストを低減することができる
。
【００３３】
しかも、外ケースの下端には、外ケースの下端近傍に装着される下板部材を係止する係止部が形成されているので、ケースの下端に係止部によって下板部材を係止して固定することができるので、外ケース内に電磁コイルを収容した後、電磁コイルの下端に当接するように、外ケースの下端に、下板部材を装着する際に、下板部材が外ケースから脱落することがない。
【００３４】
また、下板部材の一端が、外ケースの内側に突設するように形成した突設部に係止されるとともに、下板部材の他端が、外ケースのスリットの下端隅角部の爪部に係止されるので、下板部材を外ケースの下端近傍に確実に固定することができ、下板部材が外ケースから脱落することがなく、従来の電磁弁のように、特別な圧入治具が不要で、手などで簡単に下板部材を外ケースの下端に固定することができ、組み付け作業が簡単で、コストを低減することができる。
【００３５】
さらに、下板部材自体がバネ性を有するので、従来の電磁弁のように、下板部材と上蓋との間に、別途ゴムパッキンを介装する必要がなく、部品点数も少なくなるとともに、部品交換も不要でメンテナンス性が良好で、組み付け作業も簡単で工程数も減少して、コストを低減できる。
【００３６】
しかも、下板部材自体がバネ性を有するので、下板部材が振動することがなく、弁本体の作動による振動によって、外ケースと下板部材の嵌合が緩み、下板部材が脱落して、振動による騒音が発生し、さらには、電磁コイルが振動することによって、電磁コイル自身の機能に支障が生じるのを防止することができる。
【発明を実施するための最良の形態】
【００３７】
以下、本発明の実施の形態（実施例）を図面に基づいてより詳細に説明する。
図１は、本発明の電磁弁の弁閉状態を示す縦断面図、図２は、本発明の電磁弁の電磁コイルを収容する外ケースの分解斜視図、図３は、本発明の電磁弁の外ケースの外観図、図４は、図３のＡ−Ａ方向断面図、図５は、図３のＢ−Ｂ方向断面図、図６は、図５のＣ部の拡大図、図７（Ａ）は、本発明の電磁弁の下板部材の上面図、図７（Ｂ）は、図７（Ａ）の下板部材のＤ方向矢視図、図８は、本発明の電磁弁の弁開作動状態を示す縦断面図、図９は、本発明の電磁弁の弁開状態を示す縦断面図である。
【００３８】
図１において、符号１は、全体で本発明の電磁弁を示している。なお、図１０、図１１に示した従来の電磁弁１と同様な構成部材には、同じ参照番号を付している。
本発明の電磁弁１は、高圧側（一次側）に接続される第１の流路２と、低圧側（二次側）に接続される第２の流路４が形成された弁本体６を備えている。この弁本体６の第１の流路２と第２の流路４との間には、弁座８が形成され、この弁座８に対して、着座するように弁体１０が備えられている。
【００３９】
弁体１０は、弁座８に着座する主弁１２と、この主弁１２の上部に装着され、その外周部が弁本体６のシリンダ部６ａの内壁に上下方向に摺動するように、ピストンリング１４を備えたピストン１６を備えている。
【００４０】
また、これらの主弁１２とピストン１６とを貫通するように装着された主弁押さえ１８を備えており、この主弁押さえ１８の上部のネジ部に、主弁締付ナット２０を螺着することによって、これらの主弁１２とピストン１６と主弁押さえ１８とが一体的に締結され、弁体１０を構成するようになっている。なお、ピストン１６には、リークポート１６ａが形成されている。
【００４１】
そして、この弁体１０を収容した弁本体６の上部のシリンダ部６ａに、予めプランジャーチューブ２２を立設するように、ロウ付け部２４によって固着した上蓋２６が装着されている。なお、上蓋２６と弁本体６の上部のシリンダ部６ａとの間には、パッキン３が介装されている。
【００４２】
また、このプランジャーチューブ２２の内部には、第１のプランジャー２８と、第１のプランジャー２８と弁体１０との間に、第２のプランジャー３０が、プランジャーチューブ２２内を上下に摺動可能なように装着されている。
【００４３】
さらに、第１のプランジャー２８の上部には、吸引子３２が、溶接部３５によってプランジャーチューブ２２の上端に固着されている。この吸引子３２と第１のプランジャー２８との間には、プランジャーバネ部材３４が、圧縮状態で介装されており、第１のプランジャー２８を下方に付勢するように構成されている。
【００４４】
弁本体６の上方には、電磁コイル３６を収容した略有底筒状の外ケース３８が連結されており、プランジャーチューブ２２の外周に位置するように、電磁コイル３６が配置されるようになっている。
【００４５】
この電磁コイル３６は、モールド樹脂５４によってモールドされて、一体的にリード線７を取り付けるためのリード線取り付け部５２が形成されている。
このリード線取り付け部５２は、外ケース３８の側部に形成したスリット９を介して、外ケース３８の側部に突出するようになっている。
【００４６】
また、電磁コイル３６の下端に当接するように、外ケース３８の下端近傍には、下板部材４０が装着されている。
また、外ケース３８の上端と電磁コイル３６の上端との間には、コイル座金４２が介装されている。そして、外ケース３８の上端中央部に形成した外ケース締め付け孔４４を介して、締め付けボルト４６を、吸引子の上部に形成した締め付けネジ孔４８に締め付けることによって、弁本体６の上方には、電磁コイル３６を収容した外ケース３８が連結されるように構成されている。
【００４７】
ところで、本発明の電磁弁１では、図２〜図６に示したように、外ケース３８は、外ケース３８の側部に外ケース３８の下端側に開口端を有するように上下方向にスリット９が形成されている。また、外ケース３８の下端には、外ケース３８の下端近傍に装着される下板部材４０を係止する係止部が形成されている。
【００４８】
すなわち、外ケース３８のスリット９の下端隅角部にスリット９側に突設するように形成した２つの爪部１１と、スリット９と対峙するように外ケース３８の下端に外ケース３８の内側に突設するように形成した突設部１３とから構成されている。
【００４９】
なお、爪部１１は、後述するように、電磁コイルの下端に当接するように、外ケース３８の下端近傍に下板部材４０を装着する際に、下板部材４０を案内して、外ケース３８の下端側が拡径するようにするために、図６に示したように、上方に向かって漸次内側に突出するテーパー面１１ａが形成されている。
【００５０】
また、下板部材４０が、爪部１１の上方に位置した後、外ケース３８の下端側が縮径して、この爪部１１によって、下板部材４０が係止されるように、水平面１１ｂが形成されている。さらに、この場合、このような下板部材４０の装着を容易にするために、図６に示したように、テーパー面１１ａと水平面１１ｂとの間には、丸くなったアール（Ｒ）面
１１ｃが形成されているとともに、爪部１１の下端にも、丸くなったアール（Ｒ）面１１ｄが形成されている。
【００５１】
なお、図示しないが、突設部１３にも、下板部材４０を装着を容易にするため、爪部１１と同様に、丸くなったアール（Ｒ）面を形成するのが望ましい。
一方、下板部材４０は、図７に示したように、スリット４０ａが形成されているとともに、スリット４０ａの両端が上下方向に偏位するように、いわゆるバネ座金形状に成形されている。
【００５２】
さらに、下板部材４０には、外ケース３８のスリット９から外側に突出する突出部４０ｂが形成されており、これにより、下板部材４０を外ケース３８の下端近傍に装着する際に、この突出部４０ｂと、外ケース３８のスリット９の下端隅角部に形成した爪部１１とが係止されるので、下板部材４０を外ケースの下端近傍に確実に固定することができるようになっている。
【００５３】
このように構成することによって、下板部材４０自体がバネ性を有するので、従来の電磁弁のように、下板部材４０と上蓋２６との間に、別途ゴムパッキンを介装する必要がなく、部品点数も少なくなるとともに、部品交換も不要でメンテナンス性が良好で、組み付け作業も簡単で工程数も減少して、コストを低減できる。
【００５４】
しかも、下板部材４０自体がバネ性を有するので、下板部材４０が振動することがなく、弁本体６の作動による振動によって、外ケース３８と下板部材４０の嵌合が緩み、下板部材４０が脱落して、振動による騒音が発生し、さらには、電磁コイル３６が振動することによって、電磁コイル３６自身の機能に支障が生じるのを防止することができるように構成されている。
【００５５】
このような構成の電磁弁１を組み付けるには、先ず、弁本体６の弁座８に主弁１２が着座するように、弁本体６内に弁体１０を収容する。そして、予め上蓋２６に、プランジャーチューブ２２を立設するように、ロウ付け部２４によって固着し、さらに、吸引子３２を、溶接部３５によって、プランジャーチューブ２２の上端に固着した後、プランジャーチューブ２２の内部に、プランジャーバネ部材３４、第１のプランジャー２８、第２のプランジャー３０を装着し、プランジャーバネ部材３４を圧縮状態で介装するように、弁本体６の上部のシリンダ部６ａに装着する。
【００５６】
一方、外ケース３８の上端に、コイル座金４２を配置した後、電磁コイル３６を収容する。この際には、リード線取り付け部５２は、外ケース３８の側部に形成したスリット９を介して、外ケース３８の側部に突出するようになっている。
【００５７】
次に、下方より、電磁コイル３６の下端に当接するように、外ケース３８の下端近傍に、下板部材４０を固定する。
この場合、下板部材４０を外ケース３８の下端近傍に装着するには、下板部材４０の一端４０ｃを、外ケース３８の下端に外ケース３８の内側に突設するように形成した突設部１３に係止させる。
【００５８】
そして、この状態で、下板部材４０の他端４０ｄを、外ケース３８側に押圧するだけで、外ケース３８の下端側に開口端を有するスリット９が形成されているので、外ケース３８のスリットの下端隅角部にスリット側に突設するように形成した爪部１１（テーパー面１１ａ）が、下板部材４０の他端４０ｄ側に案内されて、外ケース３８の下端側が拡径する。これにより、下板部材４０の他端４０ｄが、爪部１１の上方に位置した後、外ケースの下端側が縮径して、この爪部１１（水平面１１ｂ）によって、下板部材４０の他端４０
ｄが係止されることになる。
【００５９】
なお、この際には、下板部材４０には、外ケース３８のスリット９から外側に突出する突出部４０ｂが形成されており、これにより、下板部材４０を外ケース３８の下端近傍に装着する際に、この突出部４０ｂと、外ケース３８のスリット９の下端隅角部に形成した爪部１１とが係止されるので、下板部材４０を外ケース３８の下端近傍に確実に固定することができるようになっている。なお、この場合、隅角部４０ｅ近傍において、下板部材４０と爪部１１とが係止されることになり、確実に固定することができるようになっている。
【００６０】
従って、下板部材４０の一端４０ｃが、外ケースの内側に突設するように形成した突設部１３に係止されるとともに、下板部材４０の他端４０ｄが、外ケース３８のスリット９の下端隅角部の爪部に係止されるので、下板部材を外ケースの下端近傍に確実に固定することができ、下板部材が外ケースから脱落することがなく、従来の電磁弁のように、特別な圧入治具が不要で、手などで簡単に下板部材を外ケースの下端に固定することができ、組み付け作業が簡単で、コストを低減することができる。
【００６１】
このように、電磁コイル３６を収容し、電磁コイル３６の下端に当接するように、外ケース３８の下端近傍に、下板部材４０を固定した状態で、上方より外ケース３８を弁本体６に装着して、プランジャーチューブ２２の外周に電磁コイル３６が位置するように、弁本体６の上方に位置させる。
【００６２】
この状態で、外ケース３８の上端中央部に形成した外ケース締め付け孔４４を介して、締め付けボルト４６を、吸引子の上部に形成した締め付けネジ孔４８に締め付けることによって、弁本体６の上方には、電磁コイル３６を収容した外ケース３８を連結することによって、電磁弁１を組み付けるようになっている。
【００６３】
このように構成される本発明の電磁弁１の作動について、図１、図８〜図９に基づいて、以下に説明する。
図１に示した発明の電磁弁の弁閉状態では、弁体１０、すなわち、主弁１２が、弁座８に対して着座するようになっている。この弁閉状態では、電磁コイル３６は、非通電状態（ＯＦＦ）であって、プランジャーバネ部材３４の付勢力によって、第１のプランジャー２８を下方に移動した状態となっている、これにより、第２のプランジャー３０が下方に移動して、その結果、弁体１０、すなわち、主弁１２が、弁座８に対して着座して弁閉状態が維持されるようになっている。
【００６４】
また、この弁閉状態では、弁本体６の高圧側（一次側）に接続される第１の流路２から、高圧流体が、ピストン１６のリークポート１６ａを介して、弁本体６のシリンダ部６ａ内に流入する。
【００６５】
さらに、ピストン１６のリークポート１６ａを介して、弁本体６のシリンダ部６ａ内に流入した高圧流体の一部が、第２のプランジャー３０とプランジャーチューブ２２との間からリークして、第１のプランジャー２８と第２のプランジャー３０との間の隙間Ｓに流入することによって、この流入した高圧流体の作用によって、第２のプランジャー３０、弁体１０、すなわち、主弁１２が、弁座８に対して着座する方向に付勢力が作用して弁閉状態が維持されるようになっている。
【００６６】
そして、この弁閉状態から弁開状態とするには、電磁コイル３６を、通電状態（ＯＮ）の状態にすることによって、プランジャーバネ部材３４の付勢力に抗して、第１のプランジャー２８を上方に、吸引子３２に当接するように上方に移動させる（図８参照）。
【００６７】
この状態では、第１のプランジャー２８の下端部の突設部２８ａが、第２のプランジャー３０の中央孔３０ａから離間するので、第１のプランジャー２８と第２のプランジャー３０との間の隙間Ｓが、弁体１０の主弁押さえ１８の中央孔１８ａ、第２のプランジャー３０の中央孔３０ａを介して、弁本体６の低圧側（二次側）に接続される第２の流路４に連通して、低圧状態となる。
【００６８】
これにより、第２のプランジャー３０が上昇することにより、シリンダ部６ａが低圧状態となる。
このため、図９に示したように、弁体１０、すなわち、主弁１２、および第２のプランジャー３０が、弁本体６の高圧側（一次側）に接続される第１の流路２からの高圧流体の作用によって、上方に移動される。これにより、弁体１０、すなわち、主弁１２が、弁座８に対して離反する方向に移動して弁開状態となる。
【００６９】
なお、図８から図９の状態は瞬時に起こるものであり、単に理解のために、作動状態の説明のためのものである。
この弁開状態から、再び、弁閉状態とするには、電磁コイル３６を非通電状態（ＯＦＦ）とすることによって、プランジャーバネ部材３４の付勢力によって、第１のプランジャー２８を下方に移動した状態となる。これにより、第２のプランジャー３０が下方に移動して、その結果、弁体１０、すなわち、主弁１２が、弁座８に対して着座して弁閉状態が維持されるようになっている。
【００７０】
以上、本発明の好ましい実施の態様を説明してきたが、本発明はこれに限定されることはなく、例えば、上記実施例では、外ケース３８の下端近傍に装着される下板部材４０を係止する係止部として、外ケース３８のスリット９の下端隅角部にスリット９側に突設するように形成した２つの爪部１１と、スリット９と対峙するように外ケース３８の下端に外ケース３８の内側に突設するように形成した突設部１３とから構成したが、例えば、突設部１３を爪部とすることもでき、また、突設部１３の位置、数なども変更することも可能であるなど本発明の目的を逸脱しない範囲で種々の変更が可能である。
【図面の簡単な説明】
【００７１】
【図１】図１は、本発明の電磁弁の弁閉状態を示す縦断面図である。
【図２】図２は、本発明の電磁弁の電磁コイルを収容する外ケースの分解斜視図である。
【図３】図３は、本発明の電磁弁の外ケースの外観図である。
【図４】図４は、図３のＡ−Ａ方向断面図である。
【図５】図５は、図３のＢ−Ｂ方向断面図である。
【図６】図６は、図５のＣ部の拡大図である。
【図７】図７（Ａ）は、本発明の電磁弁の下板部材の上面図、図７（Ｂ）は、図７（Ａ）の下板部材のＤ方向矢視図である。
【図８】図８は、本発明の電磁弁の弁開作動状態を示す縦断面図である。
【図９】図９は、本発明の電磁弁の弁開状態を示す縦断面図である。
【図１０】図１０は、従来の電磁弁の縦断面図である。
【図１１】図１１は、図１０のＡ方向矢視図である。
【符号の説明】
【００７２】
１     電磁弁
２     第１の流路
３     パッキン
４     第２の流路
５     ゴムパッキン
６     弁本体
６ａ   シリンダ部
７     リード線
８     弁座
９     スリット
１０   弁体
１１   爪部
１１ａ テーパー面
１１ｂ 水平面
１１ｃ、１１ｄ       アール（Ｒ）面
１２   主弁
１３   突設部
１４   ピストンリング
１６   ピストン
１６ａ リークポート
１８   主弁押さえ
１８ａ 中央孔
２０   主弁締付ナット
２２   プランジャーチューブ
２４   ロウ付け部
２６   上蓋
２８   第１のプランジャー
２８ａ 突設部
３０   第２のプランジャー
３０ａ 中央孔
３２   吸引子
３４   プランジャーバネ部材
３５   溶接部
３６   電磁コイル
３８   外ケース
４０   下板部材
４０ａ スリット
４０ｂ 突出部
４０ｃ 一端
４０ｄ 他端
４０ｅ 隅角部
４２   コイル座金
４４   外ケース締め付け孔
４６   締め付けボルト
４８   締め付けネジ孔
５０   開口部
５２   リード線取り付け部
５４   モールド樹脂
Ｓ     隙間
【図１】
2008151218.tif 000003
【図２】
2008151218.tif 000004
【図３】
2008151218.tif 000005
【図４】
2008151218.tif 000006
【図５】
2008151218.tif 000007
【図６】
2008151218.tif 000008
【図７】
2008151218.tif 000009
【図８】
2008151218.tif 000010
【図９】
2008151218.tif 000011
【図１０】
2008151218.tif 000012
【図１１】
2008151218.tif 000013